(57)【要約】      （修正有）【課題】効率よく構造物の強度・剛性を向上させることができ、軽量で取扱性にも優れたデッキプレートに着眼し、これを木質系の床パネルに組み込むことで床パネルの高さ寸法を効率よく抑制することを可能とした木造建物の床パネルを提供する。【解決手段】山部２１と谷部２２とが傾斜部を介して交互に連なり略台形の波形断面に屈曲形成されたデッキプレート２が、受け部材１を介して、矩形状に枠組された木材（木枠）３の面内に配設されてなる木造建物の床パネルであり、前記受け部材１は、前記木材３の上面に載る又は側面に差し込む上フランジ部１１と、前記木材１の側面に沿って垂下するウエブ部１２と、前記デッキプレート２の端部の谷部２２を支持する下フランジ部１３とで断面略Ｚ字状に形成されており、前記枠組の四辺のうち少なくとも向かい合う二辺における木材３に設けられて前記デッキプレート２が支持されてなる。【選択図】図３
2020165174.tif 000002
【特許請求の範囲】
【請求項１】
山部と谷部とが傾斜部を介して交互に連なり略台形の波形断面に屈曲形成されたデッキプレートが、受け部材を介して、矩形状に枠組された木材の面内に配設されてなる木造建物の床パネルであって、
前記受け部材は、前記の上面に載る又は側面に差し込む上フランジ部と、前記木材の側面に沿って垂下するウエブ部と、前記デッキプレートの端部の谷部を支持する下フランジ部とで断面略Ｚ字状に形成されており、前記枠組の四辺のうち少なくとも向かい合う二辺における木材に設けられて前記デッキプレートが支持されてなることを特徴とする、木造建物の床パネル。
【請求項２】
前記木材は、その上面に前記受け部材の上フランジ部を位置決めするための切欠き凹部が形成されていることを特徴とする、請求項１に記載した木造建物の床パネル。
【請求項３】
前記木材は、その側面に前記受け部材の上フランジ部が挿入されるためのスリットが形成されていることを特徴とする、請求項１に記載した木造建物の床パネル。
【請求項４】
前記木材は、その側面に前記受け部材のウエブ部を位置決めするための切欠き凹部が形成されていることを特徴とする、請求項１〜３のいずれか１項に記載した木造建物の床パネル。
【請求項５】
前記受け部材は、前記木材の軸方向に間隔をあけて複数設けて前記デッキプレートを支持する構成であることを特徴とする、請求項１〜４のいずれか１項に記載した木造建物の床パネル。
【請求項６】
前記受け部材の下フランジ部の上面に、前記木材の軸方向に延びる長尺なベース部材が設けられ、前記ベース部材の上面に前記デッキプレートの端部の谷部が支持されていることを特徴とする、請求項１〜５のいずれか１項に記載した木造建物の床パネル。
【請求項７】
前記デッキプレートの上面にコンクリートが打設されて前記枠組と一体化されていることを特徴とする、請求項１〜６のいずれか１項に記載した木造建物の床パネル。
【発明の詳細な説明】
【技術分野】
【０００１】
この発明は、木造建物を施工する際に用いられる床パネルの技術分野に属する。
【背景技術】
【０００２】
木造建物の施工方法の１つとして枠組壁工法（２×４工法）がある。この枠組壁工法は、主に２×４インチの断面寸法の規格木材を用いた枠組に構造用合板を釘打ちして製作された床材、壁材等の面材を適宜、木造用接合金具（帯金物やアンカーボルト）で接合して建物を構築するものであり、施工期間が短く、施工性もよいことから近年その需要も伸びている。
ところで、枠組壁工法の床パネルは、従来、枠組と根太で床組を形成し、その上に合板を張り付けることで製作していた。その高さ寸法（せい）は、一般的に床用のパネル材は２×１０インチの部材を使うので２３５ｍｍ程度であった。
ちなみに、前記床パネルを含む床材は、枠組壁工法、木造軸組構法（在来工法）を問わず、施工性、耐火性、断熱性、又は遮音性（気密性）等を向上させるべく、その構成に工夫を施すことにより、下記するような実に様々な形態の床材が開発されている。
【０００３】
例えば、特許文献１には、断熱性に優れたランバーコア合板（図５参照）の間に角材を挟み込んだ複合構造体のパネルを使うことで、施工が容易で低コストに構築できる住宅等の建造物及びその施工方法が開示されている。
特許文献２には、合板の間に発泡合成樹脂の断熱材を挟み込んだパネルを使うことで、長期にわたり適正な断熱効果を維持でき、かつ耐火性にも優れ、また合板の板厚を大きくすることで柱と梁を不要とし、壁、床、屋根などの構成材として好適な構造用多機能パネルが開示されている。
特許文献３には、下階壁パネル上に床根太を固定して木質床板を下型枠として敷設し、鉄筋を組んだあとにコンクリートを流して鉄筋コンクリートスラブを形成し、その上に上階壁パネルを立設させることで、耐火性、遮音性に優れた建築方法が開示されている。
特許文献４には、デッキプレートの表面に鉄筋を取り付けてコンクリートを打設して形成したプレキャスト合成スラブ本体の長さ方向両端部及び幅方向両端部に接合用切欠部を設けており、接合用切欠部を介して梁上に設置されることで、施工性、耐火性、及び遮音性に優れたプレキャスト合成スラブが開示されている。
【先行技術文献】
【特許文献】
【０００４】
【特許文献１】特開平７−２４３２３６号公報
【特許文献２】実開平６−４０１０５号公報
【特許文献３】特開昭５４−８５５０５号公報
【特許文献４】特開平７−２０７７９４号公報
【発明の概要】
【発明が解決しようとする課題】
【０００５】
前記特許文献１に係る建造物及びその施工方法は、面内剛性を確保するために合板を厚くしたり、面外剛性を確保するために隔離材（根太）を大きくしたりする必要があった。また、木材のみで構成されているので、耐火性や遮音性を確保するためにボード系の耐火材や遮音材などを取り付けるため、総じて床や天井が高く（厚く）なり、その分居住スペースが狭くなる等の問題があった。
前記特許文献２に係る構造用多機能パネルは、前記特許文献１と同様に、面内剛性を確保するためには合板を厚くする必要があり、床や天井が高く（厚く）なり、その分居住スペースが狭くなる等の問題があった。
前記特許文献３に係る建築方法は、耐火性、遮音性は確保できるものの、梁又は根太の上にコンクリートスラブを形成するため、床や天井が高くなり、その分居住スペースが狭くなる等の問題があった。その他、現場でコンクリートの打設作業を行うため、工期が長期化する問題もあった。
前記特許文献４に係るプレキャスト合成スラブも耐火性、遮音性は確保できるものの、梁又は根太の上にコンクリートスラブを形成するため、床や天井が高くなり、その分居住スペースが狭くなる等の問題があった。そもそも構成部材に木質部分を含んでいないため、木造建物に適用するには上下階の木質壁パネルとの取り合いが難しいという問題もあった。
【０００６】
纏めると、従来、施工性、耐火性、断熱性、又は遮音性（気密性）等を向上させる目的で開発された床材は、どれも一長一短があった。
具体的には、例えば枠組壁工法において、床パネルのパネル厚を、強度・剛性をそのままに前記一般的なパネル厚の２３５ｍｍよりも薄く形成することができれば、居住スペースをより広く形成する等の柔軟で合理的な構造設計を実現でき、非常に有益であることは明らかであるところ、前記特許文献１〜４に係る技術はパネル厚の抑制に寄与できず、改良の余地が残されている。  
【０００７】
本発明は、上述した背景技術の課題に鑑みて案出されたものであり、その目的とするところは、効率よく構造物の強度・剛性を向上させることができ、軽量で取扱性にも優れたデッキプレートに着眼し、これを木質系の床パネルに組み込むことで床パネルの高さ寸法を効率よく抑制することを可能とした、木造建物の床パネルを提供することにある。
【課題を解決するための手段】
【０００８】
上記の課題を解決するための手段として、請求項１に記載した発明に係る木造建物の床パネルは、山部と谷部とが傾斜部を介して交互に連なり略台形の波形断面に屈曲形成されたデッキプレートが、受け部材を介して、矩形状に枠組された木材の面内に配設されてなる木造建物の床パネルであって、
前記受け部材は、前記木材の上面に載る又は側面に差し込む上フランジ部と、前記木材の側面に沿って垂下するウエブ部と、前記デッキプレートの端部の谷部を支持する下フランジ部とで断面略Ｚ字状に形成されており、前記枠組の四辺のうち少なくとも向かい合う二辺における木材に設けられて前記デッキプレートが支持されてなることを特徴とする。
【０００９】
請求項２に記載した発明は、請求項１に記載した木造建物の床パネルにおいて、前記木材は、その上面に前記受け部材の上フランジ部を位置決めするための切欠き凹部が形成されていることを特徴とする。
【００１０】
請求項３に記載した発明は、請求項１に記載した木造建物の床パネルにおいて、前記木材は、その側面に前記受け部材の上フランジ部が挿入されるためのスリットが形成されていることを特徴とする。
【００１１】
請求項４に記載した発明は、請求項１〜３のいずれか１項に記載した木造建物の床パネルにおいて、前記木材は、その側面に前記受け部材のウエブ部を位置決めするための切欠き凹部が形成されていることを特徴とする。
【００１２】
請求項５に記載した発明は、請求項１〜４のいずれか１項に記載した木造建物の床パネルにおいて、前記受け部材は、前記木材の軸方向に間隔をあけて複数設けて前記デッキプレートを支持する構成であることを特徴とする。
【００１３】
請求項６に記載した発明は、請求項１〜５のいずれか１項に記載した木造建物の床パネルにおいて、前記受け部材の下フランジ部の上面に、前記木材の軸方向に延びる長尺なベース部材が設けられ、前記ベース部材の上面に前記デッキプレートの端部の谷部が支持されていることを特徴とする。
【００１４】
請求項７に記載した発明は、請求項１〜６のいずれか１項に記載した木造建物の床パネルにおいて、前記デッキプレートの上面にコンクリートが打設されて前記枠組と一体化されていることを特徴とする。
【発明の効果】
【００１５】
本発明に係る木造建物の床パネルによれば、以下の効果を奏する。
第１発明〜第７発明の床パネルは、受け部材によってデッキプレートを木枠の上面よりも下方に落とし込んで設置することが可能になるので、従来の梁上に設置するよりも床パネルの厚さを（約６割程度に）薄くすることができる。
第１発明〜第７発明の床パネルは、デッキプレートの単体での剛性が高いため、根太を省略でき、従来の合板よりも薄い合板を張り付けても面内剛性を保持できる。また、十分な剛性を保有するため、構造設計に応じて乾式（デッキプレート単体）、湿式（コンクリート打設）を使い分けることができる。
第１発明〜第７発明の床パネルは、床パネルの外周部を構成する木枠は、従来の枠組壁工法に用いる床パネルの木枠と何ら変わりはないので、上下階の壁パネルとの接合において従来の枠組壁工法と同様に施工できる。
第１発明〜第７発明の床パネルは、デッキプレートを木枠の上面よりも下方に落とし込むことで、組立時にコンクリートを打設する際、木枠が型枠代わりとなるので、型枠や脱型作業を省略できる。
特に、第２発明の床パネルは、前記木材の上面に切欠き凹部を形成されるため、前記木材に受け部材を取り付けても不陸を起こすことがなく、その後に取り付ける床材や壁材の良好な納まりを実現できる。また、受け部材と木材の上端レベルが面一になるので、上階の壁パネルを隙間無く設置することができる。
特に、第３発明の床パネルは、前記木材の側面にスリットが形成されて、受け部材の上フランジ部が差し込まれるため、前記受け部材に回転する荷重が作用した場合、ビス等の固定具が抜ける虞がなく構造上非常に安定した健全性の高い床パネルを実現できる。
特に、第４発明の床パネルは、前記木材の側面に切欠き凹部を形成されるため、木材とデッキプレートと隙間（受け部材の板厚分）が埋まり（詰めることができ）、コンクリート打設時のコンクリートの漏れや、上階からの音漏れを防ぐことができる。
特に、第５発明の床パネルは、１個あたりのサイズがコンパクトな受け部材を複数点在させてデッキプレートを支持するため、木材の上面に壁パネルを設けることができる。
特に、第６発明の床パネルは、前記受け部材の下フランジ部の上面に、前記木材の軸方向に延びる長尺なベース部材により、デッキプレートを前記受け部材の取り付け位置にかかわらず設置できるので、柔軟な構造設計が可能となる。
特に、第６発明の床パネルは、デッキプレートや打設コンクリートに対する支持耐力を高めることができる。
特に、第７発明の床パネルは、前記デッキプレートの上面に、打設されるコンクリートが前記枠組と一体化されているため、コンクリート漏れを未然に防止することができる。
【図面の簡単な説明】
【００１６】
【図１】本発明（実施例１）に係る木造建物の床パネルの実施例を示した斜視図である。
【図２】図１の要部を抽出して示した斜視図である。
【図３】図１の要部を示した断面図である。
【図４】実施例１に係る木造建物の床パネルを上下階の壁パネルの間に設置した状態を示した説明図である。
【図５】実施例１に係る木造建物の床パネルの異なる実施例を示した断面図である。
【図６】実施例１に係る木造建物の床パネルの組立状況を示した説明図である。
【図７】図３に示した木造建物の床パネルにコンクリートを打設した状態を示した断面図である。
【図８】本発明（実施例２）に係る木造建物の床パネルの実施例を示した断面図である。
【図９】実施例２に係る木造建物の床パネルの実施例を示した斜視図である。
【図１０】実施例２に係る木造建物の床パネルの組立状況を示した説明図である。
【図１１】実施例２に係る木造建物の床パネルの異なる実施例を示した断面図である。
【図１２】図８に示した木造建物の床パネルにコンクリートを打設した状態を示した断面図である。
【図１３】本発明（実施例３）に係る木造建物の床パネルの実施例を示した断面図である。
【図１４】実施例３に係る木造建物の床パネルの組立状況を示した説明図である。
【図１５】実施例３に係る木造建物の床パネルを上下階の壁パネルの間に設置した状態を示した説明図である。
【図１６】図１３に示した木造建物の床パネルにコンクリートを打設した状態を示した断面図である。
【図１７】実施例３に係る木造建物の床パネルの異なる実施例を示した断面図である。
【図１８】実施例３に係る木造建物の床パネルの異なる実施例を示した斜視図である。
【図１９】図１７、図１８に係る木造建物の床パネルを上下の壁の間に設置した状態を示した説明図である。
【図２０】図１７、図１８に係る木造建物の床パネルにコンクリートを打設した状態を示した断面図である。
【発明を実施するための形態】
【００１７】
次に、本発明に係る木造建物の床パネルの実施例を図面に基づいて説明する。
【実施例１】
【００１８】
本発明に係る木造建物の床パネルは、図１〜図３に示したように、山部２１と谷部２２とが傾斜部２３を介して交互に連なり略台形の波形断面に屈曲形成されたデッキプレート２が、受け部材１を介して、矩形状に枠組された木材（木枠）３の面内に配設されてなる木造建物の床パネルであり、前記受け部材１は、前記木材３の上面に載る又は側面に差し込む上フランジ部１１と、前記木材１の側面に沿って垂下するウエブ部１２と、前記デッキプレート２の端部の谷部２２を支持する下フランジ部１３とで断面略Ｚ字状に形成されており、前記枠組の四辺のうち少なくとも向かい合う二辺における木材３に設けられて前記デッキプレート２が支持されてなる構造である。
【００１９】
前記木材３は、本実施例では枠組壁工法に用いる木材３を想定している。図示例に係る木材は、一例として、２×６材（せいは１４０ｍｍ程度）を２枚合わせしたものを用い、面内寸法が、例えば、２５００×２５００ｍｍ程度に形成されている。
また、本実施例に係る前記木材３は、図３に示したように、その上面と側面に、前記受け部材１の上フランジ部１１とウエブ部１２を位置決めするための切欠き凹部３ａ、３ｂを連続させた断面略逆Ｌ字状の切欠き凹部が形成されている。
前記切欠き凹部３ａ、３ｂの形状は、平板状に形成された上フランジ部１１、ウエブ部１２と同等寸法に切り欠いて形成されている。言い換えると、上フランジ部１１、ウエブ部１２を受け入れた状態で木材３の外周面（上面及び側面）と面一となるように形成されている。
【００２０】
前記デッキプレート２は、山部２１と谷部２２とが傾斜部２３を介して交互に連なり略台形の波形断面をなす鋼板で形成され、さらに谷部２２に鍵溝を、傾斜部２３に段部を備えた合成スラブ用デッキプレート２と称されるデッキプレートが採用されている。
このデッキプレート２の寸法は、一例として、幅が６００ｍｍ程度（２山タイプ）、高さ（山高）が５０ｍｍ程度、山部と谷部のトップ（平面部）の幅寸が１１５〜１２５ｍｍ程度、板厚が１．０〜１．６ｍｍ程度、全長（スパン長）が１．８〜３．６ｍ程度である。図１は、幅方向に４体のデッキプレート２を連結した状態を示している。
なお、前記デッキプレート２の形態（形状、寸法）は勿論この限りではなく、設置面積、支持梁の設置間隔、構造上必要な強度等の構造設計に応じて適宜設計変更される。
例えば、木材（木枠）３の面内寸法に応じて、幅が３００ｍｍ程度の１山タイプの幅調整用のデッキプレート２を併用することは適宜行われるところである。その他、コンクリートを打設しない（乾式の）場合は前記鍵溝や段部がないタイプの通常のデッキプレートを採用することもできる。
ちなみに前記デッキプレート２は、その端部の谷部２２における前記受け部材１の下フランジ１３との接合部位に貫通孔２２ａ（図４参照）が穿設されている。
【００２１】
前記受け部材１は、金属製（鋼製）であり、前記上フランジ部１１、前記ウエブ部１２、及び前記下フランジ部１３とで断面略Ｚ字状に形成されている。
前記上フランジ部１１は、前記木材３へ取り付けるために用いるビス６、ボルト、ドリフトピン等の固定具６を挿通させるための貫通孔１１ａが形成されている。図示例に係る貫通孔１１ａは、バランスよく６個穿設されているが構造設計に応じて適宜設計変更可能である。また、前記ビス６は、前記上フランジ部１１と前記木材３を固定しているが、例えば、前記ウエブ部１２に貫通孔を形成して固定するなど、前記受け部材１と前記木材３がずれないように固定されていればよく、固定具はビス６に限らないし、また固定位置に関わらず、どのように固定されてもよい。
前記下フランジ部１３は、前記デッキプレート２へ取り付けるために用いるボルト７等の固定具７を挿通させるための貫通孔１３ａが形成されている。図示例に係る貫通孔１３ａは、バランスよく左右に２個穿設されているが構造設計に応じて適宜設計変更可能である。もっとも、前記下フランジ部１３と前記デッキプレート２とを溶接手段で一体化させる場合、前記貫通孔１３ａは不要である。
前記受け部材１の寸法は、一例として、断面方向にみて（図３参照）、上フランジ部１１の幅寸が５７ｍｍ程度、ウエブ部１２の高さ寸法（全高）が１２７ｍｍ程度、下フランジ部１３の幅寸が６４ｍｍ程度、板厚が６ｍｍ程度で、奥行き寸法（横幅）Ｂ（図２参照）が１１０ｍｍ程度で実施されている。
【００２２】
なお、前記受け部材１の形態（形状、寸法）は勿論この限りではなく、前記デッキプレート２、木材３の形態等を勘案した構造設計に応じて適宜設計変更される。
例えば、構造設計に応じて、図５に示したように、前記ウエブ部１２の高さ寸法を短くした受け部材１を用いてデッキプレート２の上面レベルを前記木材３の上面レベルと略同一に揃えることも可能である。
その他、前記受け部材１は、２本のアングル材を組み合わせて（例えば、背面同士を溶接接合して）断面略Ｚ字状に形成したものでも同様に実施できる。
【００２３】
次に、上記構成の木材３、デッキプレート２、及び受け部材１からなる木造建物の床パネルを実現するための手法（組立手順）について説明する。なお、以下に説明する手法はあくまでも一例に過ぎないことを念のため特記しておく。
先ず、図６に示したように、所定の大きさの矩形状に枠組された木材（木枠）３を用意する。この木材３（の向かい合う二辺）には予め、前記受け部材１を掛け止める部位に前記切欠き凹部３ａ、３ｂが形成されている。すなわち、本実施例では前記受け部材１を計１８個掛け止めるので、前記木材（木枠）３には計１８箇所の前記切欠き凹部３ａ、３ｂが形成されている。
次に、複数（図示例では１８個）の受け部材１をそれぞれ、前記木材３の切欠き凹部３ａ、３ｂを目印にして、その上フランジ部１１を前記木材３の上面（の切欠き凹部３ａ）に載置すると共に、ウエブ部１２を前記木材３の側面（の切欠き凹部３ｂ）に当接させ、もって前記受け部材１を前記木材３に位置決めする。しかる後、前記上フランジ部１１の前記貫通孔１１ａにビス６を通して前記受け部材１を前記木材３に定着させる。
【００２４】
次に、前記デッキプレート２を所定の高さ吊り上げ、前記受け部材１、１の間に落とし込みつつ位置決めして架設する作業を行う。
具体的には、前記木材３で囲われた面内に隙間なく前記デッキプレート２を敷設するべく、前記デッキプレート２の長手方向の両端部の谷部２２を前記受け部材１の対応する下フランジ部１３の上面に載置し、前記谷部２２の前記貫通孔２２ａと下フランジ部１３の前記貫通孔１３ａとの芯を一致させ、ボルト７を通してナット８で締結する作業を受け部材１の数に応じて繰り返し行い、もって、デッキプレート２を、受け部材１を介して木材３に支持させてなる床パネルを実現する（図１参照）。
そして、例えば図４に示したように、下階の壁パネル３０の上面に本発明に係る床パネルの木材（木枠）３を設置し、さらにその上に上階の壁パネル２０を設置する等、従来の枠組壁工法と同様の施工を行う。
【００２５】
なお、前記床パネルは、図７に示したように、前記上下の壁パネル２０、３０に組み込む前に、前記デッキプレート２の上面にコンクリート５を打設してプレキャスト合成スラブ化した床パネルとして用いることもできるし、前記上下の壁パネル２０、３０に組み込んだ後にコンクリート５を打設した床スラブ構造としてもよい。
また、本実施例に係る受け部材１は、１個あたり奥行き寸法（横幅）Ｂが１１０ｍｍ程度のコンパクトサイズで実施しているがこれに限定されず、前記木材３の全長にわたる程に長い長尺タイプの受け部材で実施することもできる（図示省略）。この場合は、木材３の向かい合う二辺に１本ずつ取り付ければよいので、計２本の受け部材で足りる。
以下に説明する実施例３についても同様の技術的思想とする。
【００２６】
上記構成の木造建物の床パネルによれば、以下の効果を奏する。
（１）受け部材１によってデッキプレート２を木枠３の上面よりも下方に落とし込んで設置することが可能になるので、従来の梁上に設置するよりも床パネルの厚さを（約６割程度に）薄くすることができる。
（２）デッキプレート２の単体での剛性が高いため、根太を省略でき、従来の合板よりも薄い合板を張り付けても面内剛性を保持できる。また、十分な剛性を保有するため、構造設計に応じて乾式（デッキプレート２単体）、湿式（コンクリート５打設）を使い分けることができる。
（３）床パネルの外周部を構成する木枠３は、従来の枠組壁工法に用いる床パネルの木枠と何ら変わりはないので、上下階の壁パネル２０、３０との接合において従来の枠組壁工法と同様に施工できる。
（４）デッキプレート２を木枠３の上面よりも下方に落とし込むことで、組立時にコンクリート５を打設する際、木枠３が型枠代わりとなるので、型枠や脱型作業を省略できる。
（５）本実施例では、前記木材３の上面に切欠き凹部３ａを形成して実施しているので、前記木材３に受け部材１を取り付けても不陸を起こすことがなく、その後に取り付ける床材や壁材の良好な納まりを実現できる。また、受け部材１と木材３の上端レベルが面一になるので、上階の壁パネル２０を隙間無く設置することができる。
（６）本実施例では、前記木材３の側面に切欠き凹部３ｂを形成して実施しているので、木材３とデッキプレート２と隙間（受け部材３の板厚分）が埋まり（詰めることができ）、コンクリート打設時のコンクリートの漏れや、上階からの音漏れを防ぐことができる。
（７）本実施例では、１個あたりのサイズがコンパクトな受け部材１を複数点在させてデッキプレート２を支持する構造で実施しているので、木材３の上面に壁パネルを設けることができる等、柔軟な構造設計を実現できる。
【実施例２】
【００２７】
図８〜図１２は、実施例２に係る木造建物の床パネルを示している。
この実施例２に係る木造建物の床パネルは、上記実施例１と比し、前記デッキプレート２と前記受け部材１の下フランジ部１３との間にベース部材４を介在させている点が相違する。その他の構成は上記実施例１と同様なので同一の符号を付してその説明を適宜省略する。
【００２８】
前記ベース部材４は、前記木材３の軸方向に延びる細長い長尺物であり、本実施例では一例として、板厚が６ｍｍ程度、幅が５０ｍｍ程度で、軸方向長さは使用するデッキプレート２の幅寸（面内の幅寸）と同等寸法で実施されている。
【００２９】
前記ベース部材４は、図１０に示したように、前記木材３に取り付けた複数（図示例では９個）の受け部材１の下フランジ１３の上面に載置する。本実施例に係るベース部材４は予め、前記下フランジ１３の前記貫通孔１３ａと芯が一致する位置に貫通孔４ａが穿設されており、前記貫通孔１３ａ、４ａ同士の位置（芯）合わせを行った後、さらに前記デッキプレート２を吊り支持した状態で、その端部の谷部２２の貫通孔２２ａの位置（芯）合わせを行う。かくして芯が一致した前記貫通孔１３ａ、４ａ、２２ａにボルト７を通しナット８を締結する作業を前記受け部材１の数に応じて繰り返し行い、もって、デッキプレート２を、受け部材１を介して木材３に支持させてなる床パネルを実現する（図１を援用して参照）。
前記受け部材１を前記木材３に取り付ける手法、前記デッキプレート２を前記下フランジ部１３へ位置決めする手法は、前記段落［００２３］、[００２４]を参照されたい。
【００３０】
そして、この実施例２に係る床パネルの木材（木枠）３を下階の壁パネル３０の上面に設置し、さらにその上に上階の壁パネル２０を設置する等、従来の枠組壁工法と同様の施工を行う（上記実施例１の図４を援用して参照）。
【００３１】
なお、前記受け部材１と前記ベース部材４、又は前記デッキプレート２と前記ベース部材４を溶接手段で一体化させる場合、前記貫通孔４ａは不要である。
また、前記床パネルは、図１２に示したように、前記上下の壁パネル２０、３０に組み込む前に、前記デッキプレート２の上面にコンクリート５を打設してプレキャスト合成スラブ化した床パネルとして用いることもできるし、前記上下の壁パネル２０、３０に組み込んだ後にコンクリート５を打設した床スラブ構造としてもよい。また、デッキプレート２の端部と木材３との間を養生したり、受け部材１の下フランジ部１３とベース部材４を隙間なく配置して固定すれば、よりコンクリート５の漏れを防止することができて、望ましい。
その他、構造設計に応じて、図１１に示したように、前記ウエブ部１２の高さ寸法を短くした受け部材１を用いてデッキプレート２の上面レベルを前記木材３の上面レベルと略同一に揃えることも可能である。
以下に説明する実施例３についても同様の技術的思想とする。
【００３２】
この実施例２に係る木造建物の床パネルは、上記実施例１と同様に、前記受け部材１、前記デッキプレート２、及び木材３からなる構造に変わりはない。よって、前記段落［００２６］の（１）〜（７）に記載した上記実施例１と同様の作用効果を奏する。
加えて、実施例２に係る木造建物の床パネルは、長尺物のベース部材４を、前記下フランジ部１３と前記デッキプレート２との間に介在させるので、下記する効果を奏する。
（８）前記デッキプレート２を、前記受け部材１の取り付け位置にかかわらず設置できるので、柔軟な構造設計が可能となる。
（９）前記デッキプレート２や打設コンクリート５に対する支持耐力を高めることができる。また、コンクリート５を打設する場合は、コンクリート漏れを未然に防止することができる。
【実施例３】
【００３３】
図１３〜図２０は、実施例３に係る木造建物の床パネルを示している。
この実施例３に係る木造建物の床パネルは、上記実施例１、２と比し、前記受け部材１の上フランジ１１を木材３の側面に形成したスリット３ｃに差し込む構成で実施している点が相違する（特には図３と図１３、図８と図１７を対比して参照）。その他の構成は上記実施例１、２と同様なので同一の符号を付してその説明を適宜省略する。
【００３４】
要するに、この実施例３に係る床パネルは、図１４に示したように、ウエブ部１２が短い受け部材１を、前記木材（木枠）３の側面に形成したスリット３ｃに差し込む手法で前記木材３に取り付けた後は、前記上記実施例１、２と同様の手法を行うことで組み立てられる（前記段落［００２３］、[００２４]、及び［００２９］を参照）。
【００３５】
したがって、この実施例３に係る木造建物の床パネルは、上記実施例１、２と同様に、前記受け部材１、前記デッキプレート２、及び木材３からなる構造に変わりはない。よって、前記（１）〜（９）のうち、（５）を除いた作用効果を奏する。
加えて、実施例３に係る木造建物の床パネルによれば、前記受け部材１の上フランジ部１１を木材３の側面に差し込む構成で実施しているが故に、前記受け部材１に回転する荷重が作用した場合、上記実施例１、２と比し、ビス６等の固定具６が抜ける虞がなく構造上非常に安定した健全性の高い床パネルを実現することができる。                    
【００３６】
以上、実施例を図面に基づいて説明したが、本発明は図示例の限りではなく、その技術的思想を逸脱しない範囲において、当業者が通常に行う設計変更、応用のバリエーションの範囲を含むことを念のために申し添える。
例えば、上記実施例１〜３では、本発明に係る木造建物の床パネルを枠組壁工法に適用することを中心に説明しているがこれに限定されず、木造軸組工法（在来工法）にも適用可能である。また、床パネルの形態に関しては、複数の床パネルを接合して１枚の床パネルとしてもよく、形状についても正方形に限らず、長方形等の矩形のパネルであってもよい。さらに、複数の床パネルを並べて、床を形成してもよい。
【符号の説明】
【００３７】
１      受け部材
１１    上フランジ部
１１ａ  貫通孔
１２    ウエブ部
１３    下フランジ部
１３ａ  貫通孔
２      デッキプレート（合成スラブ用デッキプレート）
２１    山部
２２    谷部
２２ａ  貫通孔
２３    傾斜部
３      木材（木枠）
３ａ    切欠き凹部
３ｂ    切欠き凹部
３ｃ    スリット
４      ベース部材
４ａ    貫通孔
５      コンクリート
６      固定具（ビス）
７      固定具（ボルト）
８      ナット
９      床部材
Ｂ      受け部材の横幅
２０      上階の壁パネル
３０      下階の壁パネル
【図１】
2020165174.tif 000003
【図２】
2020165174.tif 000004
【図３】
2020165174.tif 000005
【図４】
2020165174.tif 000006
【図５】
2020165174.tif 000007
【図６】
2020165174.tif 000008
【図７】
2020165174.tif 000009
【図８】
2020165174.tif 000010
【図９】
2020165174.tif 000011
【図１０】
2020165174.tif 000012
【図１１】
2020165174.tif 000013
【図１２】
2020165174.tif 000014
【図１３】
2020165174.tif 000015
【図１４】
2020165174.tif 000016
【図１５】
2020165174.tif 000017
【図１６】
2020165174.tif 000018
【図１７】
2020165174.tif 000019
【図１８】
2020165174.tif 000020
【図１９】
2020165174.tif 000021
【図２０】
2020165174.tif 000022
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
山部と谷部とが傾斜部を介して交互に連なり略台形の波形断面に屈曲形成されたデッキプレートが、受け部材を介して、矩形状に枠組された木材の面内に配設されてなる木造建物の床パネルであって、
前記受け部材は、前記木材の上面に載る又は側面に差し込む上フランジ部と、前記木材の側面に沿って垂下するウエブ部と、前記デッキプレートの端部の谷部を支持する下フランジ部とで断面略Ｚ字状に形成されており、前記枠組の四辺のうち少なくとも向かい合う二辺における木材に設けられて前記デッキプレートが支持されてなることを特徴とする、木造建物の床パネル。
【請求項２】
前記木材は、その上面に前記受け部材の上フランジ部を位置決めするための切欠き凹部が形成されていることを特徴とする、請求項１に記載した木造建物の床パネル。
【請求項３】
前記木材は、その側面に前記受け部材の上フランジ部が挿入されるためのスリットが形成されていることを特徴とする、請求項１に記載した木造建物の床パネル。
【請求項４】
前記木材は、その側面に前記受け部材のウエブ部を位置決めするための切欠き凹部が形成されていることを特徴とする、請求項１〜３のいずれか１項に記載した木造建物の床パネル。
【請求項５】
前記受け部材は、前記木材の軸方向に間隔をあけて複数設けて前記デッキプレートを支持する構成であることを特徴とする、請求項１〜４のいずれか１項に記載した木造建物の床パネル。
【請求項６】
前記受け部材の下フランジ部の上面に、前記木材の軸方向に延びる長尺なベース部材が設けられ、前記ベース部材の上面に前記デッキプレートの端部の谷部が支持されていることを特徴とする、請求項１〜５のいずれか１項に記載した木造建物の床パネル。
【請求項７】
前記デッキプレートの上面にコンクリートが打設されて前記枠組と一体化されていることを特徴とする、請求項１〜６のいずれか１項に記載した木造建物の床パネル。